(57)【要約】      （修正有）【課題】ヴァイオリン等の奏者の汗を吸収するなどのために、ヴァイオリン等の表側の下部から、下端を回り、背面側の下部を連続して覆うカバーであって、安定して取り付けられ、ヴァイオリン等の奏者の顎だけではなく、首や肩の部分の汗も吸収されるカバーを提供する。【解決手段】布製の幅広帯状のカバー本体２１の裏側の一端にポケット２３を設け、顎当て３の先端部分に被せる。また、カバー本体２１の他端に筒状部分２７を設け、肩当て７の本体を挿通させる。あるいは、筒状部分２７ではなく、カバー本体２１の幅方向の両端をつないで伸縮性紐を設け、肩当て７の上方を廻り込んで係止する。よって、カバー１９の両端、すなわち上下端が係止され、カバー１９は安定する。【選択図】図1
0003138890.tif 000002
【実用新案登録請求の範囲】
【請求項１】
ヴァイオリン等の表側の下部に取り付けられた顎当ての表面から、ヴァイオリン等の下端を回り、ヴァイオリン等の背面側の下部に取り付けられた肩当ての表面を連続して覆う布製の幅広帯状のカバー本体と、このカバー本体の裏側の一端に設けられて前記顎当ての先端部分に被せられるポケットと、前記カバー本体の他端に設けられて前記肩当ての本体を挿通させる筒状部分と、を有することを特徴とするヴァイオリン等の顎当てカバー。
【請求項２】
ヴァイオリン等の表側の下部に取り付けられた顎当ての表面から、ヴァイオリン等の下端を回り、ヴァイオリン等の背面側の下部に取り付けられた肩当て近くまでを連続して覆う布製の幅広帯状のカバー本体と、このカバー本体の裏側の一端に設けられて前記顎当ての先端部分に被せられるポケットと、前記カバー本体の他端で、前記カバー本体の幅方向の両端をつないで設けられ、前記肩当ての上方を廻り込んで係止する伸縮性紐と、を有することを特徴とするヴァイオリン等の顎当てカバー。
【考案の詳細な説明】
【技術分野】
【０００１】
この考案は、ヴァイオリン等の奏者の汗を吸収するなどのために、ヴァイオリン等の表側の下部から、下端を回り、背面側の下部を連続して覆う布製のカバーに関する。
【背景技術】
【０００２】
ヴァイオリンやビオラ等（以下、単にヴァイオリン等という）の奏者は、自らの汗を吸収するなどのために、ハンカチを用いる。すなわち、ヴァイオリン等の表側の下部には、別体の顎当てがクランパーによって取り付けられ、背面側の下部には、別体の棒状の肩当ての両端がクランパーによって取り付けられ、ヴァイオリン等を奏者の肩と顎の間に安定して挟み易くしている。そして演奏中は、その顎当ての上にハンカチを掛け、そのハンカチの上に自らの顎を載せ、顎や首の汗をハンカチに吸収させる。
【０００３】
しかし、演奏中、ヴァイオリン等を肩から外す度に、ハンカチを掛けなおさなければならず、面倒である。さらに、時にはハンカチが落ちたりする恐れもあるので、無意識の内にハンカチを気にしてしまい、演奏への集中の邪魔になることもある。
そのような事情に考慮して、特許文献１では、顎当ての先端側に被せられるポケットと、顎当ての後端側から廻される伸縮性紐とで、顎当てにハンカチの上端を係止させて安定させるものが開示される。  
【特許文献１】特開２００４−２６３３５６
【考案の開示】
【考案が解決しようとする課題】
【０００４】
しかしながら、特許文献１は、顎当てにハンカチの上端を係止させるものであり、下端は係止されず、あまり安定しない。ヴァイオリン等の奏者は、顎だけではなく、首や肩の部分も、ヴァイオリン等に触れることが多く、これらの部分の汗も吸収されることが望ましい。特許文献１は、ハンカチの下端が安定しないので、これらの部分の汗の吸収がうまくいかない。
【０００５】
この考案は、以上の問題点を解決するために、ヴァイオリン等の奏者の汗を吸収するなどのために、ヴァイオリン等の表側の下部から、下端を回り、背面側の下部を連続して覆うカバーであって、安定して取り付けられ、ヴァイオリン等の奏者の顎だけではなく、首や肩の部分の汗も吸収されるカバーを提供することを目的とする。
【課題を解決するための手段】
【０００６】
以上の課題を解決するために、第一考案は、ヴァイオリン等の表側の下部に取り付けられた顎当ての表面から、ヴァイオリン等の下端を回り、ヴァイオリン等の背面側の下部に取り付けられた肩当ての表面を連続して覆う布製の幅広帯状のカバー本体と、このカバー本体の裏側の一端に設けられて前記顎当ての先端部分に被せられるポケットと、前記カバー本体の他端に設けられて前記肩当ての本体を挿通させる筒状部分と、を有することを特徴とするヴァイオリン等の顎当て・肩当てカバーである。
【０００７】
第二考案は、ヴァイオリン等の表側の下部に取り付けられた顎当ての表面から、ヴァイオリン等の下端を回り、ヴァイオリン等の背面側の下部に取り付けられた肩当て近くまでを連続して覆う布製の幅広帯状のカバー本体と、このカバー本体の裏側の一端に設けられて前記顎当ての先端部分に被せられるポケットと、前記カバー本体の他端で、前記カバー本体の幅方向の両端をつないで設けられ、前記肩当ての上方を廻り込んで係止する伸縮性紐と、を有することを特徴とするヴァイオリン等の顎当て・肩当てカバーである。
【考案の効果】
【０００８】
第一考案によれば、カバー本体の裏側の一端に設けられたポケットが、顎当ての先端部分に被せられ係止される。また、カバー本体の他端に設けられた筒状部分へ肩当ての本体が挿通された係止される。
よって、第一考案では、カバーの両端、すなわち上下端が係止され、カバーは安定する。このように安定した布製のカバーが、ヴァイオリン等の表側の下部に取り付けられた顎当ての表面から、ヴァイオリン等の下端を回り、ヴァイオリン等の背面側の下部に取り付けられた肩当ての表面を連続して覆うので、奏者の顎だけではなく、首や肩の部分の汗もうまく吸収される。
汗を吸収することで、ヴァイオリンそのものを傷めることを避けられ、湿気に弱く接合部分がはがれやすいヴァイオリンを守ることができる。
また、奏者の首などヴァイオリンとの接触部に痣がつくのを避けることもできる。
【０００９】
第二考案によれば、カバー本体の裏側の一端に設けられたポケットが、顎当ての先端部分に被せられ係止される。また、カバー本体の他端に設けられた伸縮性紐が、肩当ての上方を廻り込んで係止される。
よって、第二考案では、カバーの両端、すなわち上下端が係止され、カバーは安定する。このように安定した布製のカバーが、ヴァイオリン等の表側の下部に取り付けられた顎当ての表面から、ヴァイオリン等の下端を回り、ヴァイオリン等の背面側の下部に取り付けられた肩当て近くまでを連続して覆うので、奏者の顎だけではなく、首や肩の部分の汗もうまく吸収される。  
【考案を実施するための最良の形態】
【００１０】
この考案の実施形態を、図１から図３、及び図５に示す。
図５（Ａ）は、この考案が実施されるヴァイオリン１を示す。このヴァイオリン１には、表側の下部に、別体の顎当て３がクランパー５Ａによって取り付けられている。背面側の下部には、別体の肩当て７が、クランパー５Ｂによって取り付けられている。
【００１１】
図５（Ｂ）に示すように、顎当て３は、木製で顎にフィットする形に形成された顎当て本体９の下端（図中の右端）に、クランパー５Ａが取り付けられる。このクランパー５Ａは、図中の下方にＵ字状に伸び、Ｕ字状の内側が顎当て本体９側に屈曲することで、側面形状がＬ字状になっている。このＬ字状の先端辺１０が接触部１１Ａとなり、ヴァイオリン１の背面に接触し、本体９との間で、ヴァイオリン１をクランプする。Ｌ字状の図中の縦辺１３は、筒状の部分が回動することで、長さを調節でき、クランプ力を調整できる。クランプされた状態で、本体９は、ヴァイオリン１の表面からやや浮き上がっている。
【００１２】
図５（Ｃ）に示すように、肩当て７は、ブリッジと呼ばれる棒状の本体１５が、肩にフィットする形に形成され、ヴァイオリン１の左右幅方向に配置される。この本体１５の両端に、クランパー５Ｂが設けられ、ヴァイオリン１を左右からクランプする。各クランパー５Ｂは、先端がＹ字状に形成され、Ｙ字状の二つの端部に接触部１１Ｂが設けられる。各クランパー５Ｂは、棒状の本体１５の長手方向へスライド移動可能に設けられ、任意のスライド位置で、固定手段１７により固定される。
【００１３】
図１及び図２（Ａ）に示すように、図５のヴァイオリン１に対して、カバー１９が設けられる。このカバーは、布製で、布は綿１００％で、ハンカチに使用するような薄手で、吸収性が良く、肌触りの良いものが最も望ましい。また、タオル生地やガーゼ生地等が使用されうる。
この布製の幅広帯状のカバー本体２１が、ヴァイオリン１の表側の下部に取り付けられた顎当て３の表面から、ヴァイオリン１の下端２を回り、バイオリ１の背面側の下部に取り付けられた肩当て７の表面を連続して覆う。
【００１４】
図２（Ｂ）に示すように、カバー本体２１の裏側の一端（すなわち上側）にはポケット２３が設けられている。ポケット２３は、顎当て３の左右方向幅とほぼ同じ左右幅を有し、下側に向かって開口する。この開口２５により顎当て３の先端部分に被せられる。
カバー本体２１の他端（すなわち下側）には、筒状部分２７が設けられている。筒状部分２７は、カバー本体２１の左右端部に開口２８する。この開口２８の大きさは、肩当て７の本体を挿通させるに十分な大きさを有する。
筒状部分２７は、布を縫うことで作ってもよいし、縫う代わりに面ファスナーで止めて筒状にしてもよい。面ファスナーを使用することで、ヴァイオリン１や顎当て、肩当ての大きさに対応できる。
カバー本体２１の長さは、カバー１９を取り付けた状態で、あまり大きな弛みがない長さにする。
【００１５】
「取り付け」
ヴァイオリン１へのカバー１９の取り付けは、次のように行われる。
すなわち、まず、カバー１９の筒状部分２７にヴァイオリンの肩当て７の棒状の本体１５を挿通する。そして、この肩当て７をヴァイオリンにセットする。さらに、カバー１９のポケット２３を顎当て３の先端部分に被せられる。
【００１６】
「実施形態の効果」
この実施形態によれば、カバー本体２１の裏側の一端に設けられたポケット２３が、顎当て３の先端部分に被せられ、カバー１９の上端が係止される。また、カバー本体２１の他端に設けられた筒状部分２７へ肩当て７の本体１５が挿通され、カバー１９の下端が係止される。
【００１７】
よって、カバー１９の両端、すなわち上下端が係止され、カバー１９は安定する。このように安定した布製のカバー１９が、ヴァイオリン１の顎当て３の表面から、ヴァイオリン１等の下端２を回り、ヴァイオリン１等の背面側の肩当て７の表面を連続して覆う。このため、奏者の顎だけではなく、首や肩の部分の汗もうまく吸収される。
【００１８】
「他の実施形態」
以上の実施形態では、カバー１９の下端の係止は、筒状部分２７へ肩当て７の本体１５を挿通することで行ったが、他の実施形態では図４に示すように、カバー１９の伸縮性紐３１を肩当て７の上方へ廻り込ませて係止することができる。
すなわち、カバー本体２１の全長をやや短くし、筒状部分２７に伸縮性紐３１としてのゴム紐を通す。通したゴム紐の長短を結び、リング状にする。これにより、伸縮性紐３１は、カバー本体の幅方向の両端をつないで設けられた状態になる。このリング状のゴム紐を指で伸ばし、肩当て７に対し、上方から左右に廻り込んだ状態で、係止する。
【００１９】
この場合にも、カバー１９の両端、すなわち上下端が係止され、カバー１９は安定する。このように安定した布製のカバー１９が、ヴァイオリン１等の表側の下部に取り付けられた顎当て３の表面から、ヴァイオリン１等の下端２を回り、ヴァイオリン１等の背面側の下部に取り付けられた肩当て７近くまでを連続して覆うので、奏者の顎だけではなく、首の部分、さらには首の付け根から肩にかけての部分の汗もうまく吸収される。
【００２０】
さらに、肩当て７は、カバー１９に覆われず露出した状態であり、肩当て７に通常設けられている滑り止めが覆われず、肩に当接することができる。よって、滑り止めの機能がより発揮される。  
【図面の簡単な説明】
【００２１】
【図１】（Ａ）は、この考案の一実施形態に係るカバーがなされたヴァイオリン表側の下半分を左側方からみた斜視図、（Ｂ）は、（Ａ）のカバーを裏返し伸ばした伸展図である。
【図２】図１（Ａ）のヴァイオリンの正面図である。
【図３】図２の背面を下方からみた斜視図である。
【図４】この考案の他の実施形態に係るカバーがなされたヴァイオリンの下半分の背面を下方からみた斜視図である。
【図５】（Ａ）は、図１（Ａ）のヴァイオリンからカバーを無くした図、（Ｂ）は、（Ａ）の顎当てを外し拡大して示す図、（Ｃ）は、（Ａ）の肩当てを外し拡大して示す図である。
【符号の説明】
【００２２】
１…ヴァイオリン、３…顎当て、５…クランパー、７…肩当て、９…顎当て本体、１１…接触部、１３…縦辺、１５…棒状の本体、１７…固定手段、１９…カバー、２１…カバー本体、２３…ポケット、２５…開口、２７…筒状部分。
【図１】
0003138890.tif 000003
【図２】
0003138890.tif 000004
【図３】
0003138890.tif 000005
【図４】
0003138890.tif 000006
【図５】
0003138890.tif 000007